(57)【特許請求の範囲】
【請求項１】
天井面の下方に設置された棚の天部より先端が前方に突出するように取付けられて前記棚の前水平面、前記棚の鉛直面および前記天井面を照射する照明器具において、
透明基板からなりその下面を出射面としかつ先端面を上方に向けて傾斜した導光板と、この導光板の後端面から光を入射する光源とを備え、
前記導光板の内部を進む光の一部は前記出射面から前記棚の前水平面に照射されるとともに、さらに前記導光板の内部を進む光は前記先端面に達し、前記先端面から屈折した光が前記天井面を照射し、前記先端面から反射した光が前記出射面を屈折して前記棚の鉛直面を照射する照明器具。
【請求項２】
前記導光板の上面に反射手段を有する請求項１記載の照明器具。
【請求項３】
前記導光板の前記出射面は水平である請求項１記載の照明器具。
【請求項４】
前記導光板および前記光源を保持するための器具本体を有し、前記光源を交換するための開閉カバーを前記器具本体の上面に設けた請求項１記載の照明器具。
【発明の詳細な説明】
【０００１】
【発明の属する技術分野】
この発明は、書架棚用照明器具等の照明器具に関するものである。
【０００２】
【従来の技術】
従来のこの種の照明器具には、図５に示すようなものがあった。図５（ａ）は書架棚１２の天面に反射笠１１と光源手段として蛍光灯等１０を設け、書架棚１２の鉛直面Ｐ、書架棚１２の前水平面Ｑ、および天井面を照射するものである。
【０００３】
図５（ｂ）は書架棚１２の天面にアーム１３を設け、そのアーム１３の先端に光源手段としての蛍光灯等１０を設け、書架棚１２の鉛直面、書架棚１２の前水平面および天井面を照明するものである。
【０００４】
また図５（ｃ）は書架棚１２間に渡らせる形でアーム１４を設け、そのアーム１４の中間部に光源としての蛍光灯等１０を設けて、書架棚１２の鉛直面、書架棚１２の前水平面、および天井面を照明するものである。
【０００５】
図５（ｄ）は書架棚１２の天面に反射部１５と光源手段としての蛍光灯等１０を設け、反射部１５からの反射光により書架棚１２の鉛直面、書架棚１２の前水平面および天井面を照射するものである。
【０００６】
図５（ｅ）は書架棚１２の天面に光源手段としての蛍光灯等１０を設け、天井１６からの反射光により書架棚１２の鉛直面、書架棚１２の前水平面および天井面を照射するものである。
【０００７】
【発明が解決しようとする課題】
しかし、前述のような照明手段では様々な課題がある。まず従来例の図５（ａ）では、蛍光灯等１０や反射笠１１が所定の大きさを有してしまうことと、有効に光を照射するために蛍光灯等１０と反射笠１１の間にある程度の空間を設ける必要があるために、照明器具自体が大きくなってしまい、書架棚１２と天井面との間にスペースがないような所には設置がしにくく、また意匠的にも優れない等の問題があった。
【０００８】
また、蛍光灯等１０が露出している場合には、光源の直視によるグレアが大きく、照明効果を損なう可能性があるのと、書架棚１２からの本の出し入れをする作業時等に誤って本が蛍光灯等に接触し、光源を破損してしまう恐れがあった。
【０００９】
さらに蛍光灯等１０からは熱や紫外線の影響があり、書架棚１２に収納する本等のそれによる劣化が懸念される問題があった。
【００１０】
次に、従来例の図５（ｂ）、（ｃ）においては、蛍光灯等１０やアーム１３、１４で所定の大きさを有してしまうことと、有効に光を照射するために蛍光灯等１０と書架棚１２との距離をある程度設ける必要があることから、また有効に光を照射させるために、蛍光灯等１０と書架棚１２との距離をある程度設ける必要があることから、アーム１３、１４が大きくなり、書架棚１２のと天井面との間にスペースがないような所には設置がしにくく、また意匠的にも優れない等の問題があった。また配光性能として、図５（ｃ）の場合は書架棚１２近くに人が立った場合に、その人が影になり、書架棚１２の鉛直面、および書架棚１２の前水平面に十分な光が照射されない等の問題があった。
【００１１】
さらに蛍光灯等１０からは熱や紫外線の影響があり、書架棚１２に収納する本等のそれによる劣化が懸念される問題があった。
【００１２】
次に従来例の図５（ｄ）では蛍光灯等１０や反射部１５で所定の大きさを有してしまうことと、有効に光を照射させるために、蛍光灯等１０や反射部１５との距離をある程度設ける必要があることから、反射部１５が大きくなり、書架棚１２と天井面との間にスペースがないような所には設置がしにくく、また意匠的にも優れない等の問題があった。
【００１３】
最後に従来例の図５（ｅ）においては、有効に光を照射するために、蛍光灯等１０と天井１６との距離をある程度設ける必要があることから、書架棚１２と天井面との間にスペースがないような所には設置がしにくい等の問題があった。
【００１４】
したがって、この発明の目的は、上述した不具合、問題点を解決すべくなされたものであり、器具本体が薄形で意匠性がよく、懐の狭い箇所にも設置でき、かつ書架棚に適用した場合、書架棚鉛直面、書架棚前水平面、および天井面の必要照射範囲に光を効果的に照射でき、またその光に含まれる熱や紫外線が少なく、照射物に対する影響が少なくでき、光源が外的衝撃で容易に破損することがなく、さらに光源等によるグレアが少ない照明器具を提供することである。
【００１５】
【課題を解決するための手段】
請求項１記載の照明器具は、天井面の下方に設置された棚の天部より先端が前方に突出するように取付けられて前記棚の前水平面、前記棚の鉛直面および前記天井面を照射する照明器具において、
透明基板からなりその下面を出射面としかつ先端面を上方に向けて傾斜した導光板と、この導光板の後端面から光を入射する光源とを備え、
前記導光板の内部を進む光の一部は前記出射面から前記棚の前水平面に照射されるとともに、さらに前記導光板の内部を進む光は前記先端面に達し、前記先端面から屈折した光が前記天井面を照射し、前記先端面から反射した光が前記出射面を屈折して前記棚の鉛直面を照射するものである。
【００１６】
請求項１記載の照明器具によれば、導光板により薄形で意匠性よくでき、懐の狭い個所にも設置でき、熱や紫外線が少なく照射物に対する影響を少なくでき光源が外的衝撃で容易に破損することがなくグレアが少ない。また傾斜する先端面が透明であるので天井面を照明することが可能である。また、導光板の下面より書架棚前水平面を照明でき、先端面の傾斜により書架棚の鉛直面を照明することができる。
【００１９】
請求項２記載の照明器具は、請求項１において、前記導光板の上面に反射手段を有するものである。
【００２０】
請求項２記載の照明器具によれば、請求項１と同様な効果のほか、効率よく下面より光を出射することができる。
【００２１】
請求項３記載の照明器具は、請求項１において、前記導光板の前記出射面が水平である。
【００２２】
請求項３記載の照明器具によれば、請求項１と同様な効果のほか、本の出し入れの邪魔にならない。
【００２３】
請求項４記載の照明器具は、請求項１において、前記導光板および前記光源を保持するための器具本体を有し、前記光源を交換するための開閉カバーを前記器具本体の上面に設けたものである。
【００２４】
請求項４記載の照明器具によれば、請求項１と同様な効果のほか、光源の交換が安全で比較的容易にできる。
【００２５】
【発明の実施の形態】
この発明の一実施の形態を図１から図４により説明する。すなわち、図１は本発明の一実施の形態の書架棚用照明器具の概略を、図２は本発明の一実施の形態の器具側面断面、平面および底面を説明する図である。
【００２６】
本発明の器具は光源として、蛍光灯等１を用いる。これはできる限り後述する導光板２に光を効率的に入射させるために、出来る限り光束（光の量）をもち、かつ管径の細いものを用いることが望ましいことから、直管形のＨｆ蛍光ランプ２０等が適している。
【００２７】
次に光透過性を有する透明基板の一方の面を透明な面とし、その透明な面と対向する他方の面に反射手段３を備えた導光板２を光放射手段として用いている。例えば透明なアクリル板１８の上面に白反射シート１９を貼付し下面を出射面２ａとした導光板２を用いることが考えられる。また、導光板２の一端面に上方に向けて傾斜した傾斜部４を設けたものを用いる。
【００２８】
透明なアクリル板１８は図１に示すように書架棚５の天部より前方に突出して配置される。この透明なアクリル板１８は器具本体２４で保持され、またＨｆ蛍光ランプ２０はアクリル板１８の後端面側で器具本体２４に保持されたランプソケット２３で装着されている。Ｈｆ蛍光ランプ２０の交換は器具本体２４の上面から、カバー２１を外して交換する。Ｈｆ蛍光ランプ２０を点灯させる点灯装置６の安定器２２も、器具本体２４の内部に保持されている。本発明器具は書架棚に対して、図３、図４の一実施の形態の器具１７の取付時の横断面および天面を示す図にみるように蛍光灯等１が書架棚５の長手方向に平行に配置するように設置する。なお、２５は端子台、２６は電源穴、２７は木ねじ用取付穴である。
【００２９】
図１で蛍光灯等１から導光板２の後端面へ入射した光は、導光板２の内部で反射を繰り返して進み、反射手段３の部分で反射率が変化するため、導光板２の透明な出射面２ａから光が書架棚前面の下向きに一様に放射されて、書架棚５の前水平面９を照射する。
【００３０】
さらに、導光板２内を反射を繰り返して進んできた光、および直進してきた光は、導光板２の一端面に設けた傾斜部４に達し、そこで光が屈折および反射をすることにより、屈折した光は上向きに放射され天井面８を照射し、反射した光はある角度で下向きに放射され、書架棚５の鉛直面７を照射することができる。
【００３１】
また、本発明の照明器具は、光放射手段として透明な導光板２を用いていることから、反射笠等の器具構成部材による所定の大きさを有する必要がなく、また光源と反射笠等の間の空間を設ける必要がないことから、器具本体を薄型にすることができる。すなわち、光源手段としての蛍光灯等１と光放射手段としての透明な導光板２との組合せにより、器具本体を薄型にすることができる。それにより、懐の狭くスペースが少ないような個所にも設置することができるようになった。また、書架棚への設置状態において、器具自体が薄いため、存在感がなく、優れた意匠性なものにすることができる。
【００３２】
また、導光板２の一端面に設けた傾斜部４により、書架棚鉛直面、および天井面の必要照射範囲に光を効果的に照射できる。さらに導光板２の一方の面に反射手段３を設けることにより、書架棚前水平面に効率的に光を照射することができる。
【００３３】
さらにこの照明器具から照射される光は、光源からの直接のものではなく、導光板２の内部を伝わってきたものであることから、熱、紫外線成分が削減され、成分による照射物への影響を少なくすることができる。
【００３４】
また照射される光は光源からの直接の光ではなく、光源を直視することがないことからグレアを少なくすることができる。
【００３５】
さらに、光源が器具本体２４、アクリル板１８で覆われ、器具設置状態で露出していないことから、例えば書架棚から本を出し入れする時に誤って本が光源に当たる等によって破損するようなことは少なくなる。
【００３６】
なお、この発明は書架棚に限らず、例えば什器棚に適用することができる。またこの照明器具をローパーティション組み込み型のデスクの前面パネルの上部に取付けて使用することができる。
【００３７】
【発明の効果】
請求項１記載の照明器具によれば、導光板により薄形で意匠性よくでき、懐の狭い個所にも設置でき、熱や紫外線が少なく照射物に対する影響を少なくでき光源が外的衝撃で容易に破損することがなくグレアが少ない。また傾斜する先端面が透明であるので天井面を照明することが可能である。また、導光板の下面より書架棚前水平面を照明でき、先端面の傾斜により書架棚の鉛直面を照明することができる。
【００３９】
請求項２記載の照明器具によれば、請求項１と同様な効果のほか、効率よく下面より光を出射することができる。
【００４０】
請求項３記載の照明器具によれば、請求項１と同様な効果のほか、本の出し入れの邪魔にならない。
【００４１】
請求項４記載の照明器具によれば、請求項１と同様な効果のほか、光源の交換が安全で比較的容易にできる。
【図面の簡単な説明】
【図１】この発明の一実施の形態を説明する概略側面図である。
【図２】（ａ）はこの発明の一実施の形態の照明器具の側面断面図、（ｂ）はその平面図、（ｃ）は底面図である。
【図３】器具設置状態の書架棚の断面図である。
【図４】その部分平面図である。
【図５】各種の従来例の概略断面図である。
【符号の説明】
１    蛍光灯等
２    導光板
３    反射手段
４    傾斜部
５    書架棚
６    蛍光灯灯の点灯装置
７    書架棚の鉛直面
８    天井面
９    書架棚の前水平面
１１    反射笠
１２    書架棚
１３    アーム
１４    アーム
１５    反射部
１７    本発明器具
１８    透明なアクリル板
１９    白反射シート
２０    Ｈｆ蛍光ランプ
２１    カバー
２２    Ｈｆ蛍光ランプの安定器
２３    ランプソケット
２４    器具本体
２５    端子台
２６    電源穴
２７    木ねじ用取付穴
【図１】
0004245786.tif 000002
【図２】
0004245786.tif 000003
【図３】
0004245786.tif 000004
【図４】
0004245786.tif 000005
【図５】
0004245786.tif 000006